(57)【要約】【課題】遊技台情報を遊技台毎にデータ集積および集計処理できると共にホールコンピュータに定期的に無線送信することもでき、遊技台数が多い大型店舗でも遊技台情報のデータ集積および集計処理を効率的かつ確実に行うことができ、さらに、遊技島内の配線工事を不要化できると共に遊技台入れ替え作業も効率化できる遊技台情報無線通信装置を提供する。【解決手段】本考案の遊技台情報無線通信装置１は、遊技台情報を出力する情報出力端子に接続されると共にデータ集積および集計機能を備えた遊技台側送受信ユニット２と、ホールコンピュータＨＣに遊技台側送受信ユニット２から無線送信された遊技台情報を伝達するホールコンピュータ側送受信ユニット３とを有している。【選択図】図１
0003226170.tif 000002
【実用新案登録請求の範囲】
【請求項１】
遊技台情報を出力する情報出力端子に接続されると共にデータ集積および集計機能を備えた遊技台側送受信ユニットと、ホールコンピュータに接続されると共に該ホールコンピュータに前記遊技台側送受信ユニットから無線送信された遊技台情報を伝達するホールコンピュータ側送受信ユニットとを有していることを特徴とする遊技台情報無線通信装置。
【請求項２】
前記遊技台側送受信ユニットは、遊技台毎に取り付けられるものである請求項１に記載の遊技台情報無線通信装置。
【請求項３】
前記遊技台側送受信ユニットは、遊技台情報を定期的に前記ホールコンピュータ側送受信ユニットに無線送信する請求項１または２に記載の遊技台情報無線通信装置。
【請求項４】
前記遊技台側送受信ユニットは、前記ホールコンピュータ側送受信ユニットを介する前記ホールコンピュータからの遊技台情報の送信指令を受信すると、遊技台情報を前記ホールコンピュータ側送受信ユニットに無線送信するものである請求項１ないし３のいずれかに記載の遊技台情報無線通信装置。
【請求項５】
前記遊技台側送受信ユニットは、周辺機器に接続可能に構成されており、前記周辺機器からの周辺機器情報を前記ホールコンピュータ側送受信ユニットに無線送信可能に構成されている請求項１ないし４のいずれかに記載の遊技台情報無線通信装置。
【請求項６】
前記ホールコンピュータは、防犯カメラシステム作動機能を有し、前記遊技台側送受信ユニットからの前記周辺機器情報に基づき防犯カメラシステムを作動するよう制御するものである請求項５に記載の遊技台情報無線通信装置。
【請求項７】
前記ホールコンピュータは、前記ホールコンピュータ側送受信ユニットを介する前記遊技台側送受信ユニットへの設定回数の送信に対して、前記遊技台側送受信ユニットから応答がない場合は異常とみなす遊技台側送受信ユニット生存確認機能を有している請求項１ないし６のいずれかに記載の遊技台情報無線通信装置。
【請求項８】
前記ホールコンピュータは、前記遊技台側送受信ユニットからの遊技台情報に基づき音響装置に対して業務放送を出力する業務放送指令機能を有している請求項１ないし７のいずれかに記載の遊技台情報無線通信装置。
【請求項９】
前記ホールコンピュータ側送受信ユニットは、内部に前記ホールコンピュータを備えている請求項１ないし８のいずれかに記載の遊技台情報無線通信装置。
【請求項１０】
前記ホールコンピュータ側送受信ユニットは、前記遊技台側送受信ユニットから無線送信された遊技台情報を中継装置を介さずダイレクトに受信する請求項１ないし９のいずれかに記載の遊技台情報無線通信装置。
【考案の詳細な説明】
【技術分野】
【０００１】
本考案は、パチンコ機などの遊技台における遊技台情報等を無線通信によりホールコンピュータに送信するための遊技台情報無線通信装置に関するものである。
【背景技術】
【０００２】
従来より、パチンコ機や回胴式遊技機（パチスロ機）などの遊技台を多数配した遊技場（ホール）では、図７に示すように、数百台から千台を超える遊技台８０に関する遊技台情報等を、遊技台８０から有線で一台のホールコンピュータ９０に送信し、ホールコンピュータ９０にてデータ集積および集計処理を行っている。
【０００３】
また、各遊技台８０からの遊技台に関する情報は秒単位で不定期にホールコンピュータ９０に送信されており、大型店舗化が進む遊技場ではデータ集積および集計処理が困難であった。
【０００４】
さらに、遊技場内には多種多様な信号配線が張り巡らされることとなり配線作業が複雑化し、遊技台８０の入れ替え作業も煩雑なものとなっていた。
【考案の概要】
【考案が解決しようとする課題】
【０００５】
そこで、本考案は、上記問題点を一挙に解決するために想起されたものであり、すなわち、本考案の課題は、遊技台情報を遊技台毎にデータ集積および集計処理できると共にホールコンピュータに定期的に無線送信することもでき、遊技台数が多い大型店舗でも遊技台情報のデータ集積および集計処理を効率的かつ確実に行うことができ、さらに、遊技島内の配線工事を不要化できると共に遊技台入れ替え作業も効率化できる遊技台情報無線通信装置を提供することにある。
【課題を解決するための手段】
【０００６】
上記課題を解決するものは、遊技台情報を出力する情報出力端子に接続されると共にデータ集積および集計機能を備えた遊技台側送受信ユニットと、ホールコンピュータに接続されると共に該ホールコンピュータに前記遊技台側送受信ユニットから無線送信された遊技台情報を伝達するホールコンピュータ側送受信ユニットとを有していることを特徴とする遊技台情報無線通信装置である（請求項１）。
【０００７】
前記遊技台側送受信ユニットは、遊技台毎に取り付けられるものであることが好ましい（請求項２）。前記遊技台側送受信ユニットは、遊技台情報を定期的に前記ホールコンピュータ側送受信ユニットに無線送信することが好ましい（請求項３）。前記遊技台側送受信ユニットは、前記ホールコンピュータ側送受信ユニットを介する前記ホールコンピュータからの遊技台情報の送信指令を受信すると、遊技台情報を前記ホールコンピュータ側送受信ユニットに無線送信することが好ましい（請求項４）。前記遊技台側送受信ユニットは、周辺機器に接続可能に構成されており、前記周辺機器からの周辺機器情報を前記ホールコンピュータ側送受信ユニットに無線送信可能に構成されていることが好ましい（請求項５）。前記ホールコンピュータは、防犯カメラシステム作動機能を有し、前記遊技台側送受信ユニットからの前記周辺機器情報に基づき防犯カメラシステムを作動するよう制御することが好ましい（請求項６）。前記ホールコンピュータは、前記ホールコンピュータ側送受信ユニットを介する前記遊技台側送受信ユニットへの設定回数の送信に対して、前記遊技台側送受信ユニットから応答がない場合は異常とみなす遊技台側送受信ユニット生存確認機能を有していることが好ましい（請求項７）。前記ホールコンピュータは、前記遊技台側送受信ユニットからの遊技台情報に基づき音響装置に対して業務放送を出力する業務放送指令機能を有していることが好ましい（請求項８）。前記ホールコンピュータ側送受信ユニットは、内部に前記ホールコンピュータを備えていてもよい（請求項９）。前記ホールコンピュータ側送受信ユニットは、前記遊技台側送受信ユニットから無線送信された遊技台情報を中継装置を介さずダイレクトに受信するように構成されている（請求項１０）。
【考案の効果】
【０００８】
請求項１に記載した遊技台情報無線通信装置によれば、遊技台情報を遊技台毎にデータ集積および集計処理できると共にホールコンピュータに定期的に無線送信することもでき、遊技台数が多い大型店舗でも遊技台情報のデータ集積および集計処理を効率的かつ確実に行うことができ、さらに、遊技島内の配線工事を不要化できると共に遊技台入れ替え作業も効率化できる。
請求項２に記載した遊技台情報無線通信装置によれば、遊技台毎に取り付けられた遊技台側送受信ユニットにおいて、より確実に遊技台情報を集計および集積管理することができる。
請求項３に記載した遊技台情報無線通信装置によれば、遊技台数が多い大型店舗でも遊技台情報のデータ集積および集計処理を効率的かつ確実に行うことができる。
請求項４に記載した遊技台情報無線通信装置によれば、ホールコンピュータが必要な時に各遊技台の遊技台情報を容易に取得することができると共に、各遊技台の遊技台情報を基本的に遊技台側送受信ユニットが集積し、ホールコンピュータから要求があった場合だけ送信することでホールコンピュータにおけるデータ集積および集計処理の困難性を回避できる。
請求項５に記載した遊技台情報無線通信装置によれば、周辺機器情報のデータ集積および集計処理や不正監視を遊技台側送受信ユニットまたはホールコンピュータで効率的に行うことができる。
請求項６に記載した遊技台情報無線通信装置によれば、遊技者の不正行為を撮影することができる。
請求項７に記載した遊技台情報無線通信装置によれば、ホールコンピュータによって遊技台側送受信ユニットの生存確認およびその処理を行うことができる。
請求項８に記載した遊技台情報無線通信装置によれば、ホールコンピュータによって音響装置から業務放送を出力することができる。
請求項９に記載した遊技台情報無線通信装置によれば、ホールコンピュータをホールコンピュータ側送受信ユニットと別に構成することが不要となる。
請求項１０に記載した遊技台情報無線通信装置によれば、中継装置を介さず遊技台情報を遊技台毎にデータ集積および集計処理できると共にホールコンピュータに定期的に無線送信することもでき、遊技台数が多い大型店舗でも遊技台情報のデータ集積および集計処理を効率的かつ確実に行うことができ、さらに、遊技島内の配線工事を不要化できると共に遊技台入れ替え作業も効率化できる。
【図面の簡単な説明】
【０００９】
【図１】本考案の遊技台情報無線通信装置の一実施例を概略構成図である。
【図２】図１に示した遊技台情報無線通信装置の説明図である。
【図３】図１に示した遊技台情報無線通信装置をパチンコ機に設置した場合の配線概略図である。
【図４】図１に示したで遊技台情報無線通信装置を回胴式遊技機（パチスロ機）に設置した場合の配線概略図である。
【図５】本考案の遊技台情報無線通信装置の他の実施例を概略構成図である。
【図６】図５に示した遊技台情報無線通信装置の説明図である。
【図７】従来の遊技台情報通信システムを説明するための説明図である。
【考案を実施するための形態】
【００１０】
本考案では、遊技台情報を出力する情報出力端子に接続されると共にデータ集積および集計機能を備えた遊技台側送受信ユニット２と、ホールコンピュータＨＣに接続されると共にホールコンピュータＨＣに遊技台側送受信ユニット２から無線送信された遊技台情報を伝達するホールコンピュータ側送受信ユニット３とを有していることで、遊技台情報を遊技台毎にデータ集積および集計処理できると共にホールコンピュータに定期的に無線送信することもでき、遊技台数が多い大型店舗でも遊技台情報のデータ集積および集計処理を効率的かつ確実に行うことができ、さらに、遊技島内の配線工事を不要化できると共に遊技台入れ替え作業も効率化できる遊技台情報無線通信装置を実現した。
【実施例１】
【００１１】
本考案の遊技台情報無線通信装置を図１ないし図４に示した一実施例を用いて説明する。
この実施例の遊技台情報無線通信装置１は、図１に示すように、遊技台Ｐの遊技台情報を出力する情報出力端子に接続されると共にデータ集積および集計機能を備えた遊技台側送受信ユニット２と、ホールコンピュータＨＣに接続されると共にホールコンピュータＨＣに遊技台側送受信ユニット２から無線送信された遊技台情報を伝達するホールコンピュータ側送受信ユニット３とを有している。以下、各構成について順次詳述する。
【００１２】
遊技台側送受信ユニット２は、主として各遊技台Ｐの遊技台情報や周辺機器２０からの周辺機器情報をホールコンピュータ側送受信ユニット３へ無線通信すると共に、各遊技台Ｐの遊技台情報や周辺機器からの周辺機器情報をデータ集積および集計するためのものであり、図２に示すように、データ集積するための記憶部４と、データ集計するための演算処理部５と、ホールコンピュータ側送受信ユニット３との間で無線通信するための送受信部（無線ＬＡＮ方式）６と、それらをコントロールする制御部７（演算処理部５＋制御部７：ＣＰＵ）とを有している。
【００１３】
そして、この実施例の遊技台側送受信ユニット２は、図２に示すように、遊技台Ｐの遊技台情報を出力する情報出力端子（図示しない）に有線にて接続されており、遊技台情報およびそれに基づいて演算処理部５にて演算されたデータが記憶部４に集積され、遊技台Ｐ毎にデータ管理されるように構成されている。
【００１４】
具体的には、遊技台Ｐがパチンコ機Ｐ１である場合は、図３に示すように、遊技台情報は、確率変動信号、大当たり信号、図柄確定信号、賞球信号、アウト信号またはガラス開閉信号などであり、パチンコ機のメーカーや機種により異なる情報出力端子に有線にてそれぞれ接続されて、遊技台情報などが遊技台側送受信ユニット２に入力されるように構成されている。
【００１５】
他方、遊技台Ｐが回胴式遊技機（パチスロ機）Ｐ２である場合は、図４に示すように、遊技台情報は、払い出し信号、投入信号、小当たり信号、大当たり信号などであり、集中端子基板１０などの情報出力端子に有線にて接続されて、遊技台情報などが遊技台側送受信ユニット２に入力されるように構成されている。
【００１６】
なお、この実施例の遊技台情報無線通信装置１では、遊技台側送受信ユニット２は遊技台Ｐ毎に取り付けられている。これにより、遊技台Ｐ毎にデータ管理用コンピュータが取り付けられることとなり、遊技台Ｐ毎により確実に遊技台情報を集計および集積管理することができる。
【００１７】
さらに、遊技台側送受信ユニット２は、ホールコンピュータ側送受信ユニット３との間で送受信部（無線ＬＡＮ方式）６を介して定期通信、要求通信、異常時通信が行われるように構成されている。
【００１８】
定期通信は、遊技台情報や周辺機器情報を定期的にホールコンピュータ側送受信ユニット３に無線送信するものであり、この実施例では、約５秒〜１０秒の間で定期通信するよう設定できるように構成されている。これにより、遊技台数が多い大型店舗でも遊技台情報や周辺機器情報のデータ集積および集計処理を効率的かつより確実に行うことができる。
【００１９】
なお、周辺機器情報としては、例えばパチンコ台のアウトタンクからの信号、補給装置からの信号、玉切れスイッチからの信号、台扉センサーからの信号、売上（現金台間玉貸し機及びメダル貸し機）からの信号、売上（プリペイドカード式貸し機）からの信号、または呼び出しランプからの信号などが挙げられ、周辺機器情報とは、周辺機器（例えば呼び出しランプ２０ａ、データランプ、計数機、台間玉貸機やメダル貸出機２０ｂなどのサンド各種、不正検知機器）２０からの各種情報であり、このような周辺機器情報も異常信号や不正行為に関する信号以外は定期通信されるように構成されている。
【００２０】
要求通信は、ホールコンピュータ側送受信ユニット３を介する、専用アプリケーション３０をダウンロードしたホールコンピュータＨＣからの遊技台情報または周辺機器情報の送信指令を、遊技台側送受信ユニット２の送受信部６が受信すると、遊技台情報または周辺機器情報をホールコンピュータ側送受信ユニット３に無線送信するものである。これにより、ホールコンピュータＨＣが必要な時に各遊技台Ｐの遊技台情報または周辺機器情報を容易に取得することができると共に、各遊技台Ｐの遊技台情報を基本的に遊技台側送受信ユニット２が集積し、ホールコンピュータＨＣから要求があった場合のみ送信することでホールコンピュータにおけるデータ集積および集計処理の困難性を低減できるように構成されている。
【００２１】
異常時通信は、遊技台Ｐや周辺機器２０に異常や不正があった場合に、異常信号や不正行為に関する信号を、遊技台側送受信ユニット２からホールコンピュータ側送受信ユニット３に即座に伝達する無線通信である。
【００２２】
すなわち、遊技台側送受信ユニット２は、図２ないし４に示すように、各種周辺機器２０に接続可能に構成されており、周辺機器２０からの周辺機器情報もホールコンピュータ側送受信ユニット３に無線送信可能に構成されている。これにより、周辺機器情報のデータ集積および集計処理や不正監視を遊技台側送受信ユニット２またはホールコンピュータＨＣで効率的に行うことができる。
【００２３】
ホールコンピュータ側送受信ユニット３は、ホールコンピュータＨＣに接続されると共にホールコンピュータＨＣに遊技台側送受信ユニット２から無線送信された遊技台情報や周辺機器情報を伝達するものであり、図２に示すように、遊技台側送受信ユニット２との間で無線通信するための送受信部８を有している。
【００２４】
ホールコンピュータＨＣは、専用アプリケーション３０により、遊技台側送受信ユニット２からの遊技台情報や周辺機器情報を集積すると共に各種集計等を行い、その結果を、画面に表示し、かつプリンターにて印字可能に構成されている。
【００２５】
具体的には、ホールコンピュータＨＣは、遊技台側送受信ユニット２からの遊技台情報や周辺機器情報を基本データとして、個々のデータ集計業務計算、遊技島毎のデータ集計業務計算、機種毎のデータ集計業務計算、遊技台（パチンコ機、パチスロ機）毎の集計業務計算、または店舗全体の集計業務計算などを行う。
【００２６】
また、ホールコンピュータＨＣは、防犯カメラシステム作動機能を有しており、遊技台側送受信ユニット２からの周辺機器情報（不正信号）に基づき防犯カメラシステムを作動制御するよう構成されている。これにより、遊技者の不正行為を撮影することができる。
【００２７】
さらに、ホールコンピュータＨＣは、ホールコンピュータ側送受信ユニット３を介する遊技台側送受信ユニット２への設定回数（この実施例では３回）の送信に対して、遊技台側送受信ユニット２から応答がない場合は異常とみなす遊技台側送受信ユニット生存確認機能を有している。これにより、ホールコンピュータＨＣによって遊技台側送受信ユニット２の生存確認および遊技台側送受信ユニット２の修理等事後処理を行うことができる。
【００２８】
さらに、ホールコンピュータＨＣは、遊技台側送受信ユニット２からの遊技台情報に基づき音響装置（図示しない）に対して業務放送を出力する業務放送指令機能を有している。これにより、ホールコンピュータＨＣによって音響装置から業務放送を出力することができる。
【００２９】
以上のように、本考案の遊技台情報無線通信装置１は、遊技台情報を遊技台Ｐ毎にデータ集積および集計処理できると共にホールコンピュータＨＣに定期的に無線送信することで、遊技台数が多い大型店舗でも遊技台情報のデータ集積および集計処理を効率的かつ確実に行うことができる。
【００３０】
また、本考案の遊技台情報無線通信装置１は、遊技台側送受信ユニット２がデータ集積するための記憶部４と、データ集計するための演算処理部５と、ホールコンピュータ側送受信ユニット３との間で無線通信するための送受信部（無線ＬＡＮ方式）６と、それらをコントロールする制御部７とを有し、ホールコンピュータ側送受信ユニット３との間で双方向無線通信が可能に構成されているため、遊技台情報や周辺機器情報その他のデータや指令を遊技台側送受信ユニット２とホールコンピュータＨＣ間で自在に通信でき、遊技場内における通信を必要とする、その他の様々な業務も効率化することができる。
【００３１】
さらに、本考案の遊技台情報無線通信装置１は、遊技台ＰとホールコンピュータＨＣとが無線通信を行うため、配線が不要となり、遊技島内の配線工事を不要化できると共に遊技台入れ替え作業も極めて容易なものとなる。
【００３２】
つぎに、図５および図６に示した本考案の他の実施例について説明する。
この実施例の遊技台情報無線通信装置４０と前述した遊技台情報無線通信装置１との基本的な相違点は、遊技台情報無線通信装置４０のホールコンピュータ側送受信ユニット４１が、内部にホールコンピュータＨＣを備えている点である。遊技台情報無線通信装置１と同一構成部分については同一符号を付し説明を省略する。
【００３３】
このように、ホールコンピュータ側送受信ユニット４１が内部にホールコンピュータＨＣを備えることにより、ホールコンピュータをホールコンピュータ側送受信ユニットと別に構成することが不要となり設備費用をより低廉化することができる。
【符号の説明】
【００３４】
１        遊技台情報無線通信装置
２        遊技台側送受信ユニット
３        ホールコンピュータ側送受信ユニット
４        記憶部
５        演算処理部
６        送受信部
７        制御部
８        送受信部
１０      情報出力端子
２０      周辺機器
３０      専用アプリケーション
Ｐ        遊技台
ＨＣ      ホールコンピュータ
４０      遊技台情報無線通信装置
４１      ホールコンピュータ側送受信ユニット
【図１】
0003226170.tif 000003
【図２】
0003226170.tif 000004
【図３】
0003226170.tif 000005
【図４】
0003226170.tif 000006
【図５】
0003226170.tif 000007
【図６】
0003226170.tif 000008
【図７】
0003226170.tif 000009